(57)【要約】  湿式シェービングデバイス用のブレードカートリッジがキャビティを規定するように組み合わされた下側ハウジング部材と上側ハウジング部材とを有するハウジングを備える。第１、第２ブレードアセンブリがキャビティに配置され、第１、第２ブレードアセンブリの各々がカッティングエッジを規定する少なくとも一つのブレードを有する。第１ブレードアセンブリの少なくとも一つのカッティングエッジが第２ブレードアセンブリの少なくとも一つのカッティングエッジと全体として対面して双方向シェービングを可能にする。
2006503648.tif 000002
【特許請求の範囲】
【請求項１】
湿式シェービングデバイス用のブレードカートリッジであって、
キャビティを規定するように組み合わされた下側ハウジング部材と上側ハウジング部材とを含むハウジングと、
前記キャビティに配置され、カッティングエッジを規定する少なくとも一つのブレードをそれぞれ含む第１、第２ブレードアセンブリと、を備え、
前記第１ブレードアセンブリの少なくとも一つのカッティングエッジが前記第２ブレードアセンブリの少なくとも一つのカッティングエッジと対面して双方向シェービングを可能にするブレードカートリッジ。
【請求項２】
前記第１、第２ブレードアセンブリは、全体として同一形状である請求項１記載のブレードカートリッジ。
【請求項３】
前記第１ブレードアセンブリのブレードと前記第２ブレードアセンブリのブレードとは互いに関して傾いている請求項１記載のブレードカートリッジ。
【請求項４】
前記第１、第２ブレードアセンブリは、それぞれ二つのブレードを有する請求項１記載のブレードカートリッジ。
【請求項５】
前記第１、第２ブレードアセンブリの少なくとも一つは、関連するブレードアセンブリの少なくとも一つに加えられている過度の力に応じてハウジング内を移動可能である請求項１記載のブレードカートリッジ。
【請求項６】
前記第１、第２ブレードアセンブリのそれぞれは、関連するブレードアセンブリの少なくとも一つに加えられている過度の力に応じて前記ハウジング内に移動可能である請求項１記載のブレードカートリッジ。
【請求項７】
前記第１、第２ブレードアセンブリの少なくとも一方と前記ハウジングとの間に挿入され、前記第１、第２ブレードアセンブリの少なくとも一つのハウジング内への移動を可能とする、少なくとも一つの弾性部材をさらに含む請求項５記載のブレードカートリッジ。
【請求項８】
前記少なくとも一つの弾性部材は、前記第１、第２ブレードアセンブリの少なくとも一方と前記下側ハウジング部材との間に挿入される請求項７記載のブレードカートリッジ。
【請求項９】
前記少なくとも一つの弾性部材は、前記第１、第２ブレードアセンブリの少なくとも一方の後方に弓形に曲がった形状を有し、関連するブレードアセンブリに対して復帰力を与えるスプリングワイヤである請求項７記載のブレードカートリッジ。
【請求項１０】
前記ブレードのカッティングエッジに沿って巻回され、前記ブレードの間に肌が押し出されることを防ぐワイヤをさらに含む請求項１記載のブレードカートリッジ。
【請求項１１】
前記ハウジングは、前記ブレードカートリッジの側方端部間に延在する、前記キャビティの一部となる複数のチャネルを規定し、前記キャビティに挟まった細片物の排出を容易にする請求項１記載のブレードカートリッジ。
【請求項１２】
前記ハウジングは、前記ブレードカートリッジの長手方向の両端間に延在する、前記キャビティの一部となる複数のチャネルを規定し、前記キャビティに挟まった細片物の排出を容易にする請求項１記載のブレードカートリッジ。
【請求項１３】
前記ハウジングは、前記ブレードカートリッジの側方端部間に延在する、前記キャビティの一部となる複数の第１チャネルを規定し、前記ブレードカートリッジの長手方向の両端間に延在し、キャビティの一部となる複数の第２チャネルを規定し、前記第２チャネルは第１ドレンチャネルの方向と概して直交する方向に延在し、前記第１、第２のドレンチャネルは前記キャビティに挟まった細片物の排出を容易にする役割を果たす請求項１記載のブレードカートリッジ。
【請求項１４】
ハンドルに対して回動自在に係合するように前記下側ハウジング部材に結合された少なくとも一つの弓形トラック部材をさらに有する請求項１記載のブレードカートリッジ。
【請求項１５】
前記少なくとも一つの弓形トラック部材は、シェービング面上又はその近傍に配置された枢支中心を与えるように構成された請求項１４記載のブレードカートリッジ。
【請求項１６】
前記少なくとも一つの弓形トラック部材は、前記ハウジングの互いに対向する両側に概して配置された第１、第２のトラック部材を含む請求項１４記載のブレードカートリッジ。
【請求項１７】
湿式シェービングレザーにおいて、
ハンドルと、
前記ハンドルに取り付けられ、キャビティを規定するように組み合わされた下側ハウジング部材及び上側ハウジング部材を含むハウジングと、
前記キャビティに配置され、カッティングエッジを規定する少なくとも一つのブレードをそれぞれ含む第１、第２ブレードアセンブリと、を有し、
前記第１ブレードアセンブリの少なくとも一つのカッティングエッジが前記第２ブレードアセンブリの少なくとも一つのカッティングエッジと全体として対面して双方向シェービングを可能にする湿式シェービングレザー。
【請求項１８】
前記ハンドルに前記ハウジングを着脱自在に連結する、前記ハンドルに連携する手段をさらに含む請求項１７記載の湿式シェービングレザー。
【請求項１９】
前記連結手段は、互いに概して平行で、前記ハンドルの長手方向と概して直交する方向にそれぞれ当該ハンドルから外方へ突出し、互いに離間して配置され、前記ハウジングの端部壁と係合する第１、第２長尺支持体を含み、それによって前記ブレードに関する前記ハンドルの向きがコーミング動作によって行われる双方向シェービング動作を可能にする請求項１８記載の湿式シェービングレザー。
【請求項２０】
前記ハウジングの端部壁及び前記第１、第２長尺支持体は、前記ハウジングを前記ハンドルに対して回動自在に取り付ける枢支手段を含む請求項１９記載の湿式シェービングレザー。
【請求項２１】
前記枢支手段は、前記ハンドルの前記長尺支持体のうちの一方と前記ハウジングの端部壁とによって規定された穴と、前記穴に回動可能に嵌合するようにもう一方の長尺支持体と端部壁とによって規定された凸部と、を含む請求項２０記載の湿式シェービングレザー。
【請求項２２】
前記枢支手段は、前記ハウジングの端部壁によって規定された穴と、前記穴に回動可能に嵌合するように前記ハンドルの前記長尺支持体によって規定された凸部と、を含む請求項２０記載の湿式シェービングレザー。
【請求項２３】
前記ハウジングの側壁が開口を規定し、前記連結手段は、前記第１、第２長尺支持体間に挿入され、当該長尺支持体と概して平行な方向に突出した板ばねをさらに含み、当該板ばねは、前記ハンドルに関して前記ハウジングを回動動作に対する復帰力を付与するように前記ハウジングの開口に受けられる請求項１９記載の湿式シェービングレザー。
【請求項２４】
前記ハウジングを前記ハンドルに回動自在に連結する少なくとも一つの弓形トラック部材をさらに含む請求項１７記載の湿式シェービングレザー。
【請求項２５】
少なくとも一つの前記弓形トラック部材は、回動中心をシェービング面上又はその近傍に与えるように構成された請求項２４記載の湿式シェービングレザー。
【請求項２６】
少なくとも一つの前記弓形トラック部材は、互いに対向する前記ハウジングの両側に概して配置された第１、第２のトラック部材を含む請求項２４記載の湿式シェービングレザー。
【発明の詳細な説明】
【技術分野】
【０００１】
本発明は、概してレザーブレードデバイスに関し、特に双方向湿式シェービングデバイスに関する。
【背景技術】
【０００２】
本出願は、２００２年１０月２１日に出願された米国仮出願第６０／４２０，２７３号に開示された必須の主題への利益が与えられ、当該主題を参照により含む。
【０００３】
通常の主な湿式シェービングデバイスは、一方向のシェービングデバイス（すなわち、ブレードが一方向にのみカット可能なように構成されたレザー）のように一方向に配列された１つ又は複数のブレードを備えている。一方向シェービングデバイスの第１の欠点は、次のカッティングストロークに備えてレザーを適切に位置取りするため、リターンストロークの間に毛深い表面からレザーを持ち上げなければならないということである。このリターンストロークは、例えばユーザの足のような広範囲の毛深い表面をシェービングするのに要する時間を増大させる。第２の欠点は、各カッティングストロークの戻す動作の時における肌のこすれが不快にさせ得るということである。
【０００４】
以上の点に対応して、本発明の目的は従来の一方向湿式シェービングデバイスの欠点及び不利益を改善し又は解決することを目的とする。
【発明の開示】
【０００５】
本発明の第１の態様によれば、湿式シェービングデバイス用のブレードカートリッジが、互いに組み合わされてキャビティを規定する下側ハウジング部材及び上側ハウジング部材を有するハウジングを備える。第１、第２ブレードアセンブリは上記キャビティ内に配置される。第１、第２ブレードアセンブリは、それぞれカッティングエッジを規定する少なくとも一つのブレードを有する。上記第１ブレードアセンブリの少なくとも一つのブレードのカッティングエッジは、上記第２ブレードアセンブリの少なくとも一つのブレードのカッティングエッジと全体的に対面して、双方向シェービングを可能にする。
【０００６】
好ましくは、各ブレードカードリッジは、複数のブレード、より好ましくは二つのブレードを有し、単一ブレードによって可能な方法よりも“近接”剃毛を提供する。さらに、ユーザに対する損傷を最小限にするため、関連するブレードに加えられた過大な力に対応して、各ブレードアセンブリがハウジング内に好適に移動可能である。また、ブレードアセンブリのハウジング内への移動を可能にし、ブレードアセンブリに復帰力を与えるために、スプリングワイヤのような弾性部材が少なくとも一方のブレードアセンブリとハウジングとの間に適切に挿入されている。さらなる安全対策として、ブレードの間に肌を押し出すことを防ぐために、ワイヤをブレードのカッティングエッジに沿って螺旋状に巻き付けても良い。
【０００７】
ブレードカートリッジのハウジングは、キャビティ内に溜まった細片物の排出を容易にするために、当該ブレードカートリッジの側端部間に延在するキャビティの一部となる複数の第１チャネルを規定し得、第１のドレンチャネルの方向と直交する方向において当該ブレードカートリッジの長手端部間に延在するキャビティの一部となる複数の第２チャネルを規定し得る。
【０００８】
本発明の第２の態様によれば、湿式シェービングレザーは、ハンドルと、当該ハンドルに結合されたハウジングとを有する。このハウジングは、互いに組み合わされてキャビティを規定する下側ハウジング部材と上側ハウジング部材とを含む。第１、第２のブレードアセンブリは上記キャビティに配置される。第１、第２のブレードアセンブリは、それぞれカッティングエッジを規定する少なくとも一つのブレードを有し、第１ブレードアセンブリの少なくとも一つのブレードのカッティングエッジは、上記第２ブレードアセンブリの少なくとも一つのブレードのカッティングエッジと全体として対面して、双方向シェービングを可能にする。
【０００９】
好ましくは、湿式シェービングレザーのハンドルは、上記ブレードに関してハンドルの向きがコーミング動作によって行われる双方向シェービング操作を可能にするように、ハウジングの端部壁に係合するための支持部を有する連結手段を含む。好ましくは、支持部材はハウジングに回転自在に連結され、それによりレザーは剃毛表面に沿って容易に旋回し得る。
【発明を実施するための最良の形態】
【００１０】
図１、２を参照すると、本発明を具現化するブレードカートリッジは参照符号１０で概して示されている。ブレードカートリッジ１０は、好ましくは互いに組み合わされてキャビティ（図６参照）を規定する下側ハウジング部材１４と上側ハウジング部材１６とを含むハウジング１２を有する。図１に最もよく示されるように、上側ハウジング部材１６は概して矩形であるが、本発明の範囲を逸脱しない範囲で、楕円形又は円形等のその他の形状をとり得る。第１ブレードアセンブリ２０ａ及び第２ブレードアセンブリ２０ｂはキャビティ１８内に配置される。第１、第２のブレードアセンブリ２０ａ，２０ｂは概略同じ形状であり、好ましくは互いに同一形状である。各ブレードアセンブリは２つのブレードを有するように図示されているが、本発明の範囲を逸脱しない限度で、ブレードアセンブリ２０ａ，２０ｂが、例えば１ブレード、２ブレード、３ブレード、４ブレード又は５ブレードといった具合に、実用的な任意の数のブレードを備えることができることに留意すべきである。
【００１１】
図４、図５に最もよく示されるように、各ブレードアセンブリ２０ａ，２０ｂは、全体として互いに平行であるカッティングエッジ２８，３０をそれぞれ有する第１ブレード２４及び第２ブレード２６を含む。ブレード２４，２６はキャリアー３２上に取り付けられていて、ブレード２４，２６間に挿入され、ブレード２４，２６の長手方向に沿って離間配置された１つ又は複数のスペーサ３４，３４によって互いに分けられている。図４に示すように、第１ブレード２４は第２ブレード２６よりも下であって第２ブレード２６よりも僅かに前方へ出して配置され、それにより第１ブレードがシェービングストロークに沿って第２ブレードよりも先行するようになっている。各ブレードアセンブリ２０ａ，２０ｂは、好ましくは、ブレードアセンブリの移動をブレードカートリッジ１０内に制限するために、関連するブレードアセンブリの前方の下側エッジ３８から外方へ突出するフロント当接面３６，３６をさらに含む。
【００１２】
図５に示すように、各ブレードアセンブリ２０ａ，２０ｂのキャリアー３２は、弾性部材４２が載せられる底面４０を有する。好ましくは、弾性部材４２は、弾性部材が底面４０から全体的に後方に曲げられ、撓むようにして底面４０上に設けられるような、例えばプラスチック又は金属のような可撓性材料の長尺帯である。弾性部材４２は、曲がって、それにより、過度のシェービング力がブレード２４，２６に加えられた場合に、関連するブレードアセンブリを他のブレードアセンブリから独立してハウジング１２内に全体的に後方に移動し得るようにし、また上記過度のシェービング力が当該ブレードから解除された時にブレードアセンブリをハウジング１２に対して適切な位置に戻す復帰力を関連するブレードアセンブリに付与するような安全形態である。ブレードカートリッジ１０は、それぞれのサイドが、同一又は異なるシェービング幾何学構造、あるいはアップストロークとダウンストロークとで異なるシェービング効果を奏し得るような復帰力特性を有するように構成され得る。
【００１３】
各ブレードアセンブリ２０ａ，２０ｂのキャリアー３２は、当該キャリアーの長手方向の第１、第２の端部４８、５０の各々から外方へ延出した第１、第２の突出部４４，４６をさらに含んでも良い。突出部４４，４６は、ブレードカートリッジ１０のハウジング１２内でのブレードアセンブリ２０ａ，２０ｂの下方移動に係る安全形態を試すために、ユーザがそこから下方へ押すことを可能にする。
【００１４】
好ましくは、ワイヤ５２は、第１の長手方向端部４８から第２の長手方向端部５０に全体に各ブレードアセンブリ２０ａ，２０ｂのカッティングエッジ２８，３０に沿って螺旋状に巻回される。ワイヤ５２は、肌がブレードの間に押し出されることを防ぎ、ブレードの間に入り込んだ肌が傷つきそうでなければダメージを受けることからユーザを保護する追加的な安全形態を提供する。各ブレードアセンブリ２０ａ，２０ｂにおけるキャリアー３２の底面４０は、ワイヤ５２の端部を固定するため、第１、第２の長手方向端部４８，５０に隣接して各々配置される第１、第２の柱状部５４，５６を含む。
【００１５】
図４、図５に最もよく示されるように、第１ブレードアセンブリ２０ａのカッティングエッジ２８，３０が第２ブレードアセンブリ２０ｂのカッティングエッジ２８，３０と全体として向き合い、それにより双方向シェービング（すなわち、フォワード方向ストローク及びリターン方向ストロークの両方向のシェービング）を可能にするように、ブレードカートリッジ１０のハウジング１２によって規定されたキャビティ１８内に第１、第２のブレードアセンブリ２０ａ，２０ｂが設けられている。
【００１６】
図６に最もよく示されるように、第１、第２のブレードアセンブリ２０ａ，２０ｂの平面はシェービング面５８又はユーザの肌に接する面に対して僅かに傾いている。平らでない位置のブレードのカッティングエッジ２８，３０は、肌を切断することなく、そうでなければダメージを与えることなくユーザの肌から体毛を切断するために、エッジを露出するのにちょうど十分な距離だけシェービング面５８を僅かに超えて延在する。下側ハウジング部材１４は、第１、第２ブレードアセンブリ２０ａ，２０ｂの各弾性部材４２を下支えする第１、第２の後方停止面又はフィン部材６０，６２を規定する。ブレードアセンブリ２０ａ，２０ｂが過度のシェービング力の下でハウジング１２の内側方向へ移動した時、弾性部材４２は停止表面６０，６２に対して加圧されて変形し、それにより過度のシェービング力が解除された時にシェービング面５８に対して平らでない位置までブレードアセンブリを押し戻す復帰力が弾性部材に蓄積される。上側ハウジング部材１６は、ブレードのカッティングエッジ２８，３０をシェービング面５８に対して平らでない位置に適切に配置するために、第１、第２のブレードアセンブリ２０ａ，２０ｂのフロント当接面３６，３６に各々噛み合うための第１、第２のフロント停止面６６，６８を有する上側中央に配置されたガード又は停止部材６４を含む。ガード６４は、シェービング面５８から上方へ突出した弾性部材６５をさらに含んで、肌の引き伸ばしを助け、シェービングでの近接性を改善しても良い。
【００１７】
図６に示すように、上側ハウジング部材１６は、第１、第２ブレードアセンブリ２０ａ，２０ｂをそれぞれ全体的に覆うための第１、第２のキャップ７０，７２を含んでも良い。上側ハウジング部材１６は、第１、第２のキャップ７０，７２の概略上部に配置され、シェービングする肌表面にジェルのようなシェービング潤滑剤を塗るための第１、第２のシェービング補助剤７４，７６をさらに含んでも良い。
【００１８】
図１、図２及び図６に示すように、好ましくは下側ハウジング部材１４と上側ハウジング部材１６は、キャビティ１８の一部となる複数の第１ドレンチャネル７８，７８を規定するように組み合わされる。第１ドレンチャネル７８，７８は、キャビティ１８に挟まった細片物の排出を容易にするために、ブレードカートリッジ１０の第１の側方端部８０と第２の側方端部８２との間に延在する。図３、図６に示すように、下側ハウジング部材１４は、さらにキャビティ１８からの細片物の排出を容易にするために、好ましくはブレードカートリッジ１０の第１の長手方向端部４８と第２の長手方向端部５０との間であって上記第１ドレンチャネル７８，７８の方向と直交する方向に全体的に延在する複数の第２のドレンチャネル８４，８４を規定する。
【００１９】
図２、図３及び図６を参照すると、下側ハウジング部材１４は、レザーハンドル９０（図７参照）の表面に係合する第１、第２の弓形トラック部材８６ａ，８６ｂを含んで、ハンドルに関してブレードカートリッジ１０の回転動作を提供しても良い。このような枢支方式による利点は、実際の枢支中心をシェービング面５８上又は近傍に好適に配置し得ることである。例えば、枢支中心を実質的にシェービング面５８の面上からシェービング面の下略１．０ｍｍ以下の範囲に収め得る。あるいは、下側ハウジング部材１４及び上側ハウジング部材１６は、レザーハンドル９０に与えられた軸又は同軸ピン９４，９４と係合するようにそれぞれの端部壁で円柱状穴９２，９２を規定して、ハンドルに関してブレードカートリッジ１０を回動自在としても良い。したがって、ブレードカートリッジ１０は、ブレードカートリッジのブレード２４，２６がハンドルの長手方向と平行な方向に全体的に延在するように、その端部にてハンドル９０に取り付けられる。ハンドルの長手方向と直交する方向に全体としてブレードが延在するようにカートリッジに取り付ける従来の双方向レザーハンドルと反対に、前方ストローク及び後方ストロークに対する改良した視界を可能とする “コーミング”動作をユーザに対して行わせることができる。従来構成のような双方向動作は、芝刈り機又はじゅうたん用掃除機のような押し／引き動作となる。押す方向では、ハンドル、カートリッジ及びユーザの手が視野を隠してしまう。
【００２０】
図７を参照すると、板ばね部材９６が、ブレードカートリッジ１０の下側ハウジング部材１４の側壁において規定された開口と係合するように、ハンドル９０の長手方向に対して概して直交する方向に当該ハンドルから外方に延在し、ブレードカートリッジを回動後にニュートラル位置に戻す復帰モーメントを付与する。
【００２１】
当業者によって理解されるように、種々の変形例及び代替例が、添付した請求の範囲で列挙されたような本発明の要旨を逸脱することなく、上述した本発明の実施の形態についてなされ得る。したがって、本明細書の前述した部分は、限定的な意味ではなく、例示的に解釈されるべきである。
【図面の簡単な説明】
【００２２】
【図１】互いに向かい合った２つのサブブレードアセンブリを含む本発明に係るブレードカートリッジの上方からの斜視図である。
【図２】図１のブレードカートリッジの側面の正面図である。
【図３】図１のブレードカートリッジの端面の正面図である。
【図４】サブブレードアセンブリの上方からの斜視図である。
【図５】サブブレードアセンブリの底側からの斜視図である。
【図６】図１の６−６線に沿った図１のブレードカートリッジの断面図である。
【図７】図１のブレードカートリッジ用レザーハンドルの側面図である。
【図１】
2006503648.tif 000003
【図２】
2006503648.tif 000004
【図３】
2006503648.tif 000005
【図４】
2006503648.tif 000006
【図５】
2006503648.tif 000007
【図６】
2006503648.tif 000008
【図７】
2006503648.tif 000009
【国際調査報告】
2006503648.tif 000010